(57)【要約】【課題】液晶パネルとバックライトとの間に空隙部のある液晶表示装置であって、その空隙部に異物が入ることを防ぐことができる液晶表示装置を提供する。【解決手段】液晶パネルと、バックライトとを有する表示装置であって、前記液晶パネルと前記バックライトとの空隙部に設けられ、かつ両者を貼り付け固定するクッションテープを有し、前記クッションテープは、平面視で前記液晶パネルの表示領域を囲むように設けられ、前記クッションテープが形成する４箇所の角部のうち少なくとも３箇所において連続していることを特徴とする。【選択図】図２
2015222379.tif 000002
【特許請求の範囲】
【請求項１】
液晶パネルと、バックライトとを有する表示装置であって、
前記液晶パネルと前記バックライトとの空隙部に設けられ、かつ両者を貼り付け固定するクッションテープを有し、
前記クッションテープは、前記液晶パネルの表示領域を囲むように設けられ、前記クッションテープが形成する４箇所の角部のうち少なくとも３箇所において連続していることを特徴とする液晶表示装置。
【請求項２】
前記クッションテープの連続している角部に該当する箇所には、それぞれ幅方向に少なくとも一つの切り込みを設けたことを特徴とする、請求項１記載の液晶表示装置。
【請求項３】
前記クッションテープの両端部は、前記４箇所の角部のうち３箇所において連続し、残り１箇所において互いに対向するように設けられ、かつその端縁の長さが、前記クッションテープの幅よりも長くなるように形成されたことを特徴とする請求項１又は請求項２記載の液晶表示装置。
【請求項４】
前記クッションテープは、前記４箇所の角部で連続していることを特徴とする、請求項１記載の液晶表示装置。
【請求項５】
前記クッションテープの前記４箇所の角部に該当する箇所には、それぞれ幅方向に少なくとも１つの切り込みを設けたことを特徴とする、請求項４記載の液晶表示装置。
【請求項６】
前記クッションテープの両端部は、前記表示領域の周囲の１個所において互いに対向するように設けられ、かつその端縁の長さが、前記クッションテープの幅よりも長くなるように形成されたことを特徴とする、請求項４又は５記載の液晶表示装置。
【請求項７】
前記クッションテープの両端部は、前記クッションテープの延長方向に対して斜めにカットされた形状、又は、対向時に嵌り合うクランク状としたことを特徴とする請求項３又は請求項６記載の液晶表示装置。
【請求項８】
前記クッションテープに設けられた切り込みの深さは、前記クッションテープの幅の１／２以上２／３以下としたことを特徴とする、請求項２又は請求項５記載の液晶表示装置。
【発明の詳細な説明】
【技術分野】
【０００１】
本発明の実施形態は、液晶表示装置に関する。
【背景技術】
【０００２】
液晶表示装置では液晶パネルとバックライトとが両面テープで固定されている。ここで用いられる両面テープは一定幅で直線状に延長されたものである。４本の両面テープが、平面視長方形のバックライトの各辺に沿って貼り付けられている。そのため、両面テープは、４箇所の角部を有する長方形をなすように配置されていることになる。その両面テープの上から液晶パネルが貼り付けられている（例えば特許文献１の図１３参照）。
【先行技術文献】
【特許文献】
【０００３】
【特許文献１】特開２００７−１０１９３８号公報
【発明の概要】
【発明が解決しようとする課題】
【０００４】
上記の形態では、前記４箇所の角部において、隣接する両面テープの間に隙間が存在する。その隙間から、液晶パネルとバックライトとの間の空隙部のうち両面テープで囲われた領域内に異物が入り、表示品位が落ちることがある。
【０００５】
そこで本発明は、液晶パネルとバックライトとの間に空隙部のある液晶表示装置であって、その空隙部に異物が入ることを防ぐことができる液晶表示装置を提供することを課題とする。
【課題を解決するための手段】
【０００６】
実施形態の液晶表示装置は、液晶パネルと、バックライトとを有する表示装置であって、前記液晶パネルと前記バックライトとの空隙部に設けられ、かつ両者を貼り付け固定するクッションテープを有し、前記クッションテープは、平面視で前記液晶パネルの表示領域を囲むように設けられ、前記クッションテープが形成する４箇所の角部のうち少なくとも３箇所において連続していることを特徴とする。
【図面の簡単な説明】
【０００７】
【図１】実施形態１の液晶表示装置Ａの部分断面図。
【図２】実施形態１における、バックライト２にクッションテープ５を貼り付けた状態の平面図。
【図３】バックライト２に貼り付ける前の実施形態１のクッションテープ５の平面図。
【図４】スリット部５３の拡大図。
【図５】実施形態１における、クッションテープ５の両端部５５、５５が対向した部分の拡大図。
【図６】実施形態２における、バックライト２にクッションテープ１０５を貼り付けた状態の平面図。
【図７】バックライト２に貼り付ける前の実施形態２のクッションテープ１０５の平面図。
【図８】実施形態２における、クッションテープ１０５の両端部１５５、１５５が対向した部分の拡大図。
【発明を実施するための形態】
【０００８】
実施形態の液晶表示装置について図面に基づき説明する。なお、図面は、説明をより明確にするため、各部の幅、厚さ、形状などについて模式的に表される場合がある。しかしこのような図面はあくまでも一例であって、本発明の解釈を限定するものではない。
【０００９】
（実施形態１）
実施形態１の液晶表示装置Ａは、図１に示すように、液晶セル１と、液晶セル１の裏面側（表示面の反対側）に設けられたバックライト２とが、クッションテープ５で接着された構造となっている。
【００１０】
液晶セル１は、平面視長方形の周知の構造のもので、アレイ基板１０と、アレイ基板１０の表示面側に配置された対向基板１１とを備えている。アレイ基板１０と対向基板１１の間には液晶が挟まれている。対向基板１１の表示面側及びアレイ基板１０の裏面側には、それぞれ偏光板１２、１３が設けられている。さらに液晶セル１にはＩＣチップやフレキシブルプリント基板が取り付けられている。液晶セル１の表示面の中央部が、画像が表示される長方形の表示領域１４で、表示領域１４の周囲が、画像が表示されない周辺領域１５である。
【００１１】
バックライト２も平面視長方形の周知の構造のもので、導光板２０と、導光板２０の一方に設けられた光源と、導光板２０の表示面側の面に積層された光学シート２１と、これらの部材の側端部を周囲から囲うバックライトフレーム２６とを備えている。バックライト２の表示面側の面のうち、液晶セル１の表示領域１４と重なる領域を対応領域２４、対応領域２４の周囲を周辺領域２５とする。周辺領域２５は、バックライトフレーム２６の表示面側の面にあたる。
【００１２】
液晶セル１とバックライト２とに挟まれた空隙部６にはクッションテープ５が挟まれている。クッションテープ５は、クッション材５１の両面側に接着層５２が設けられたものである。図２に示すように、クッションテープ５は、表示面側から見て液晶セル１の表示領域１４やバックライト２の対応領域２４を囲うように設けられている。
【００１３】
図３に示すように、バックライト２に貼り付けられる前のクッションテープ５は、一定幅で直線状に延長されたものである。クッションテープ５の幅方向の一方の辺にはスリット部５３が４つ設けられている。クッションテープ５は、各スリット部５３の部分で９０度の角度で屈曲されて、４箇所の角部を有する長方形を形成している。クッションテープ５の両端部５５、５５は、表示領域１４を囲う長方形の１辺において対向している。クッションテープ５が形成する４箇所の角部においては、クッションテープ５は切れることなく連続している。
【００１４】
ここで、スリット部５３は、図４（ａ）のように１本のスリット（切り込み）５４のみからなるものでも良いし、図４（ｂ）のように複数のスリット５４が間隔を空けて設けられたものでも良い。スリット５４の深さは、クッションテープ５の幅の１／２以上で２／３以下の深さであることが望ましい。
【００１５】
なお、１つのスリット部５３におけるスリット５４の数が多いほど、該スリット部５３は曲がり易い。また、スリット５４が深いほど、スリット部５３は曲がり易い。そこで、１つのスリット部５３におけるスリット５４の数が少ない場合はスリット５４を深くし、１つのスリット部５３におけるスリット５４の数が多い場合はスリット５４を浅くして、スリット部５３の曲がり易さを調整することが望ましい。
【００１６】
クッションテープ５の両端部５５、５５は、図２や図３に示すように幅方向へ一直線となっていても良い。しかし、両端部５５、５５が対向した状態において、対向している端縁の長さがクッションテープ５の幅より長くなっている方が望ましい。このような望ましい形態の例を図５（ａ）、（ｂ）に示す。これらの例では、両端部５５、５５の形状が、クランク状で、かつ、両端部５５、５５の対向時に嵌り合う形状となっている。ここでクランク状とは、直線部と屈曲部が交互になっている状態のことである。なお、嵌り合った状態において、両端部５５、５５の間に隙間が存在しても良いし、存在しなくても良い。図５（ａ）に示す形態では、一方の端部５５はクランク状の凹部５６ａ、他方の端部５５はクランク状の凸部５６ｂを形成し、両端部５５、５５が対向すると凹部５６ａと凸部５６ｂが嵌り合うようになっている。図５（ｂ）に示す形態では、両端部５５、５５がクランク状で鉤状の凸部５７ａ、５７ｂを形成しており、両端部５５、５５が対向すると凸部５７ａと凸部５７ｂが嵌り合うようになっている。ここで鉤状とは、凸部の先端が曲がった状態のことである。また、上記の望ましい形態の別の例を図５（ｃ）に示す。この例では、両端部５５、５５がクッションテープ５の延長方向に対して斜めになっており、両端部５５、５５同士が対向すると両端部５５、５５が平行になるようになっている。
【００１７】
なお、クッション材５１は、緩衝性のあるもの、具体的には、引いたり押したりする力が加わった場合に弾性的に伸縮できるものであれば良い。クッション材５１の代表的な材質としてはウレタンフォーム等の発泡合成樹脂が挙げられるが、これに限定されない。また、接着層５２は、両面に接着性を有する層であれば良く、例えば、両面テープからなる層であっても良いし、接着剤のみで形成された層であっても良い。
【００１８】
液晶表示装置Ａは、以上の部材の他に、液晶セル１及びバックライト２を囲うベゼル等の必要な部材を備えている。
【００１９】
以上の構造の液晶表示装置Ａでは、クッションテープ５が前記４箇所の角部において連続しているため、従来の液晶表示装置と比較して、空隙部６のうちクッションテープ５で囲われた領域内に異物が入ることを防ぐことができ、異物が原因で表示品位が落ちることを防ぐことができる。
【００２０】
特に、上記の液晶表示装置Ａでは、液晶セル１とバックライト２とが１本のクッションテープ５で接着され、クッションテープ５の両端部５５、５５が対向する部分でのみ、空隙部６のクッションテープ５で囲われた領域内とその外とが通じている。そのため、従来の液晶表示装置のようにクッションテープで囲われた領域内とその外とが４箇所の角部で通じている場合と比較して、該領域内に異物が入ることを防ぐことができ、異物が原因で表示品位が落ちることを防ぐことができる。
【００２１】
また、クッションテープ５には、屈曲されるべき部分にスリット５４が形成されているため、長方形をなすように屈曲させる作業が容易に行われる。１つのスリット部５３に複数のスリット５４が形成されている場合、特に屈曲が容易である。
【００２２】
ここで、スリット５４の深さがクッションテープ５の幅の１／２より浅いと、クッションテープ５が屈曲しにくい。また、スリット５４の深さがクッションテープ５の幅の２／３より深いと、クッションテープ５が切れるおそれがある。しかし、スリット５４の深さがクッションテープ５の幅の１／２以上で２／３以下であると、これらの問題が生じにくい。
【００２３】
また、クッションテープ５の両端部５５、５５が対向した状態において、対向している端縁の長さがクッションテープ５の幅より長い場合、クッションテープ５で囲われた領域内とその外との通じる経路がクッションテープ５の幅より長くなるため、異物が前記領域外から前記領域内に到達しにくい。特に、両端部５５、５５が対向時に嵌り合うクランク状となっている場合は、異物は前記経路の途中で進行方向を変えなければ前記領域外から前記領域内に到達できないため、前記領域内に入りにくい。
【００２４】
（実施形態２）
実施形態２の液晶表示装置は、以下に示す部分を除き、実施形態１の液晶表示装置Ａと同じ構造である。
【００２５】
図６に示すように、実施形態２の液晶表示装置Ｂにおいても、表示面側から見て液晶セル１の表示領域１４やバックライト２の対応領域２４を囲うように、クッションテープ１０５が設けられている。
【００２６】
バックライト２に貼り付けられる前のクッションテープ１０５は、一定幅で直線状に延長されたものである。図７に示すように、クッションテープ１０５には、実施形態１のクッションテープ５のスリット部５３と同じスリット部１５３が３つ設けられている。クッションテープ１０５は、各スリット部１５３の部分で９０度の角度で屈曲されて、４箇所の角部を有する長方形を形成している。図６に示すように、クッションテープ１０５は、前記長方形の４個所の角部のうち３個所において連続し、残り１個所においてその両端部１５５、１５５が対向している。
【００２７】
クッションテープ１０５の両端部１５５、１５５は、図６や図７に示すように幅方向へ一直線となっていても良い。しかし、両端部１５５、１５５が対向した状態において、対向している端縁の長さがクッションテープ１０５の幅より長くなっている方が望ましい。例えば、両端部１５５、１５５がクランク状になっており、これらの対向時に嵌り合う形状となっていても良い。そのような例として、図８（ａ）に示すように、一方の端部１５５はクランク状の凹部１５６ａ、他方の端部１５５はクランク状の凸部１５６ｂを形成し、両端部１５５、１５５が対向すると凹部１５６ａと凸部１５６ｂが嵌り合うようになっている形態が挙げられる。また、図８（ｂ）に示すように、両端部１５５、１５５がクッションテープ１０５の延長方向に対して斜めになっており、両端部１５５、１５５が対向するとこれらが平行になるようになっていても良い。
【００２８】
実施形態２の液晶表示装置においても、実施形態１の場合と同様に、クッションテープ１０５で囲われた領域内に異物が入ることを防ぐことができ、異物が原因で表示品位が落ちることを防ぐことができる。特に実施形態２の場合は、クッションテープ１０５の両端部１５５、１５５が、クッションテープ１０５が形成する長方形の角部において対向する。そのため、クッションテープ１０５の屈曲される場所は３箇所で、クッションテープ１０５に設けるべきスリット部１５３が３つで良いため、製造コストがかからないという利点がある。
【００２９】
（その他の変更例）
クッションテープは、あらかじめ長方形の枠状に形成された、切れ目が無いものであっても良い。このようなクッションテープで液晶セル１とバックライト２とが固定されている場合、クッションテープに囲われた領域は、その外側と完全に遮断される。そのため、該領域内に異物が入ることがなく、異物が原因で表示品位が落ちることがない。
【００３０】
本発明の思想の範疇において、当業者であれば各種の変更例及び修正例に想到し得るが、それらの変更例及び修正例も本発明の範囲に属する。例えば、前述の実施形態に対して、当業者が適宜、構成要素の追加、削除又は設計変更を行ったものも、本発明の要旨を備えている限り、本発明の範囲に含まれる。また、上記実施形態によりもたらされる他の作用効果については、本明細書の記載から明らかなものや、当業者が適宜想到し得るものは、当然に本発明によりもたらされる。
【符号の説明】
【００３１】
Ａ…液晶表示装置、１…液晶セル、２…バックライト、５…クッションテープ、６…空隙部、１０…アレイ基板、１１…対向基板、１２…偏光板、１３…偏光板、１４…表示領域、１５…周辺領域、２０…導光板、２１…光学シート、２４…対応領域、２５…周辺領域、２６…バックライトフレーム、５１…クッション材、５２…接着層、５３…スリット部、５４…スリット、５５…端部、５６ａ…凹部、５６ｂ…凸部、５７ａ…凸部、５７ｂ…凸部、１０５…クッションテープ、１５３…スリット部、１５５…端部、１５６ａ…凹部、１５６ｂ…凸部
【図１】
2015222379.tif 000003
【図２】
2015222379.tif 000004
【図３】
2015222379.tif 000005
【図４】
2015222379.tif 000006
【図５】
2015222379.tif 000007
【図６】
2015222379.tif 000008
【図７】
2015222379.tif 000009
【図８】
2015222379.tif 000010